(57)【要約】      （修正有）【課題】メモリカードのピンが外部と接触して破損しないように保護することができる、メモリカード収納ケースを提供する。【解決手段】メモリカード収納ケースは、第１のメモリカード１００及び第２のメモリカード２００を収容する。メモリカード収納ケースは、第１の側１及び第２の側２を有する。第１の側には第１のメモリカードを収容するための第１の収容空間１０が設けられている。第１の収容空間は第１の開口１１を有し、第１の開口には第１のメモリカードが第１の収容空間から離脱することを防止するための第１の弾性ストッパ１２が形成されている。第２の側には第２のメモリカードを収容するための第２の収容空間２０が設けられている。第２の収容空間は第２の開口２１を有し、第２の開口には第２のメモリカードが第２の収容空間から離脱することを防止するための第２の弾性ストッパ２２が形成されている。【選択図】図１Ａ
0003205337.tif 000002
【実用新案登録請求の範囲】
【請求項１】
第１のメモリカード及び第２のメモリカードを収容するのに用いられ、対応する両側がそれぞれ第１の側及び第２の側を構成するメモリカード収納ケースであって、
前記第１の側には前記第１のメモリカードを収容するための第１の収容空間が設けられており、前記第１の収容空間は第１の開口を有し、前記第１の開口には前記第１のメモリカードが前記第１の収容空間から離脱することを防止するための第１の弾性ストッパが設けられており、
前記第２の側には前記第２のメモリカードを収容するための第２の収容空間が設けられており、前記第２の収容空間は第２の開口を有し、前記第２の開口には前記第２のメモリカードが前記第２の収容空間から離脱することを防止するための第２の弾性ストッパが設けられている、
ことを特徴とするメモリカード収納ケース。
【請求項２】
前記メモリカード収納ケースの頂面には、前記第１の収容空間の局部が露出されるように第１の押圧溝及び第１の間隙が設けられていることを特徴とする請求項１に記載のメモリカード収納ケース。
【請求項３】
前記メモリカード収納ケースの頂面には、前記第２の収容空間の局部が露出されるように第２の押圧溝及び第２の間隙が設けられていることを特徴とする請求項１に記載のメモリカード収納ケース。
【請求項４】
前記第１の収容空間の対向する２つの内側壁には、第１のガイドレール及び第２のガイドレールがそれぞれ形成されていることを特徴とする請求項１に記載のメモリカード収納ケース。
【請求項５】
前記第１のガイドレール及び前記第２のガイドレールの延在方向は、前記第１のメモリカードが前記第１の収容空間に進入する移動方向に対して平行であることを特徴とする請求項４に記載のメモリカード収納ケース。
【請求項６】
前記第２の収容空間の対向する２つの内側壁には、第３のガイドレール及び第４のガイドレールがそれぞれ形成されていることを特徴とする請求項１に記載のメモリカード収納ケース。
【請求項７】
前記第３のガイドレール及び前記第４のガイドレールの延在方向は、前記第２のメモリカードが前記第２の収容空間に進入する移動方向に対して平行であることを特徴とする請求項６に記載のメモリカード収納ケース。
【請求項８】
前記メモリカード収納ケースの裏面には、前記第１の収容空間の局部が露出されるように第３の押圧溝が設けられていることを特徴とする請求項１に記載のメモリカード収納ケース。
【請求項９】
前記メモリカード収納ケースの裏面には、前記第２の収容空間の局部が露出されるように第４の押圧溝が設けられていることを特徴とする請求項１に記載のメモリカード収納ケース。
【請求項１０】
前記第１の弾性ストッパ及び前記第２の弾性ストッパには、第１の係止ブロック及び第２の係止ブロックがそれぞれ形成されており、
前記第１の係止ブロックにおいて、前記第１のメモリカードが前記第１の収容空間に進入するのに対応する方向に、第１の斜面が形成されており、
前記第２の係止ブロックにおいて、前記第２のメモリカードが前記第２の収容空間に進入するのに対応する方向に、第２の斜面が形成されていることを特徴とする請求項１に記載のメモリカード収納ケース。
【考案の詳細な説明】
【技術分野】
【０００１】
本考案は、メモリカード収納ケースに関し、特にメモリカードを保護すると共にメモリカードの脱落を防止することができるメモリカード収納ケースに関する。
【背景技術】
【０００２】
メモリカードは、常用されるデータストレージデバイスであり、データ読み取り速度が速く、体積が小さく収納に便利であるため、使用者にとって利便性の高い電子製品である。
【０００３】
しかしながら、メモリカードは体積が小さいために便利な反面、体積が小さすぎると、使用者がメモリカードの存在を忘れてしまい、若しメモリカードをポケットに適当に収納すると、結果的に紛失しやすいという問題があった。また、メモリカードには外部に露出した複数のピンがあるため、ピンと貨幣又はカギ等の金属でできた物品とが接触すると、ピンが破損しやすくなり、メモリカードに再度書き込んだり、メモリカード内のデータを読み取ることができなくなるという問題があった。
【０００４】
こうした問題を解決するために、メモリカードを内部に収納することができるメモリカード保護ケースが提供されている。現在のメモリカード保護ケースは、そのほとんどが跳ね上げ式の蓋を有するものである。即ち、ケース内部にはメモリカードを収容するための収容空間が形成されており、上蓋及び回転軸の組み合わせにより、ケースの蓋を閉めることでメモリカードを保護する目的を達成している。しかしながら、こうした跳ね上げ式の蓋を有する保護ケースには、ケースが一定の厚さを有していなければならないという欠点があり、メモリカードを保護する効果を提供することができる一方で、メモリカードが本来有する、体積が小さいために収納に便利であるという利点が失われる問題があった。
【０００５】
上述した欠点を改善するために、現在、別の種類のメモリカード保護ケースが市場に流通している。このメモリカード保護ケースは、上記メモリカード保護ケースに比べ、厚さが薄く、体積が小さいため、メモリカードにおける体積が小さいという利点を残している。こうしたメモリカード保護ケースは、基本的に内部にスイングアームとスプリングが取り付けられており、このスプリングとスイングアームとの組み合わせによって、スイングアームの一端がメモリカード上のノッチに係止されることで、メモリカードが保護ケースから離脱することを防止している。こうした構成によって、跳ね上げ式の蓋を有するメモリカード保護ケースの欠点を解消しているが、しかしながら、内部の部品が多くなるため組み立てが難しくなり、繰り返し着脱使用することによって内部の各種部品が疲労しやすくなる。そのため、メモリカードが弾性アームによって固定されずに脱落したり、取り出すことができなくなる欠点があった。
【考案の概要】
【考案が解決しようとする課題】
【０００６】
本考案は、名刺入れ大のサイズであるため、使用者がポケットに入れるのに便利であり、２枚のメモリカードを同時に収納して紛失しないようにすることができると共に、メモリカードのピンが外部と接触して破損しないように保護することができる、メモリカード収納ケースを提供することを課題とする。
【課題を解決するための手段】
【０００７】
上述した技術課題を解決するために、本考案に係るメモリカード収納ケースは、第１のメモリカード及び第２のメモリカードを収容するのに用いられ、メモリカード収納ケースの対応する両側がそれぞれ第１の側及び第２の側を構成する。第１の側には、第１のメモリカードを収容するための第１の収容空間が設けられている。第１の収容空間は第１の開口を有し、第１の開口には、第１のメモリカードが第１の収容空間から離脱することを防止するための第１の弾性ストッパが設けられている。メモリカード収納ケースの第２の側には、第２のメモリカードを収容するための第２の収容空間が設けられている。第２の収容空間は第２の開口を有し、第２の開口には、第２のメモリカードが第２の収容空間から離脱することを防止するための第２の弾性ストッパが設けられている。
【０００８】
本考案に係るメモリカード収納ケースによれば、第１の収容空間の頂面には、第１の収容空間の局部が頂面に露出されるように第１の押圧溝が設けられている。第２の収容空間の頂面にも、第２の収容空間の局部が頂面に露出されるように第２の押圧溝が設けられている。
【０００９】
本考案に係るメモリカード収納ケースによれば、第１の弾性ストッパ及び第２の弾性ストッパには、第１の係止ブロック及び第２の係止ブロックがそれぞれ形成されており、第１の係止ブロックにおいて、第１のメモリカードが第１の収容空間に進入するのに対応する方向に第１の斜面が形成されており、第２の係止ブロックにおいて、第２のメモリカードが第２の収容空間に進入するのに対応する方向に第２の斜面が形成されている。
【考案の効果】
【００１０】
本考案に係るメモリカード収納ケースは、名刺入れ大のサイズであるため、使用者がポケットに入れるのに便利である。従来技術におけるメモリカード収納ケースは、部品数が多く、組み立てが複雑であり、生産コストが高いが、それに比べ、本考案に係るメモリカード収納ケースは、一体成型であり、構造が簡単で、組み立て上の問題もなく、生産コストが低いという効果を奏する。
【図面の簡単な説明】
【００１１】
【図１Ａ】本考案に係るメモリカード収納ケースの第１の斜視図である。
【図１Ｂ】本考案に係るメモリカード収納ケースの第２の斜視図である。
【図１Ｃ】本考案に係るメモリカード収納ケースの第３の斜視図である。
【図２Ａ】本考案に係るメモリカード収納ケースの第４の斜視図である。
【図２Ｂ】本考案に係るメモリカード収納ケースの第５の斜視図である。
【図２Ｃ】本考案に係るメモリカード収納ケースの第６の斜視図である。
【図３Ａ】本考案に係るメモリカード収納ケースの第１の分解図である。
【図３Ｂ】本考案に係るメモリカード収納ケースの第２の分解図である。
【図３Ｃ】本考案に係るメモリカード収納ケースの第３の分解図である。
【図４Ａ】本考案に係るメモリカード収納ケースの第１の使用状態図である。
【図４Ｂ】本考案に係るメモリカード収納ケースの第２の使用状態図である。
【図５Ａ】本考案に係るメモリカード収納ケースの第３の使用状態図である。
【図５Ｂ】本考案に係るメモリカード収納ケースの第４の使用状態図である。
【考案を実施するための形態】
【００１２】
以下、特定の具体的な実施例に基づいて本考案に係る「メモリカード収納ケース」の実施形態を説明する。当業者は、本明細書の開示内容により、本考案のその他の利点や効果を容易に理解することができる。本考案はまた、他の異なる具体的な実施例によって実施又は応用することが可能であり、本明細書の細部についても異なる観点や応用によって、本考案の主旨を逸脱しない範囲において様々な修正や変更を施すことができる。また、本考案の図面は説明を簡略化するために用いるものに過ぎず、実際の寸法を描画したものではなく、即ち、関連する構成の実際の寸法が反映されたものではない。以下に述べる実施形態は、本考案の関連する技術内容について更に詳しく説明するためのものであるが、本考案の技術的範囲を制限するものではない。
【００１３】
図１Ａ、図１Ｂ、図１Ｃ、図２Ａ、図２Ｂ及び図２Ｃに示すように、本考案に係るメモリカード収納ケースは、第１のメモリカード１００及び第２のメモリカード２００を収容するのに用いられる。本考案に係るメモリカード収納ケースは一体成型であり、射出成型によって製造されることができるが、それに限定されない。メモリカード収納ケースの対応する両側は、それぞれ第１の側１及び第２の側２を構成する。メモリカード収納ケースの第１の側１には、第１のメモリカード１００を収容するための第１の収容空間１０が設けられている。第１の収容空間１０は第１の開口１１を有し、第１の開口１１には、第１の収容空間１０に収納される第１のメモリカード１００が第１の収容空間１０から離脱することを防止するための第１の弾性ストッパ１２が設けられている。
【００１４】
メモリカード収納ケースの第２の側２には、第２のメモリカード２００を収容するための第２の収容空間２０が設けられている。第２の収容空間２０は第２の開口２１を有し、第２の開口２１には、第２の収容空間２０に収納された第２のメモリカード２００が第２の収容空間１０から離脱することを防止するための第２の弾性ストッパ２２が設けられている。
【００１５】
１つの実施例において、本考案に係るメモリカード収納ケースは、第１の収容空間１０に対応する頂面１３を有すると共に、頂面１３には、第１の収容空間１０の局部が頂面１３に露出されるように第１の押圧溝１３１が更に設けられている。同様に、メモリカード収納ケースは、第２の収容空間２０に対応する頂面２３を有すると共に、頂面２３には、第２の収容空間２０の局部が頂面２３に露出されるように第２の押圧溝２３１が更に設けられている。
【００１６】
使用者は、第１の収容空間１０に収納された第１のメモリカード１００を取り出そうとする場合、頂面１３の第１の押圧溝１３１を介して第１のメモリカード１００に力を加えることで、第１の収容空間１０から第１のメモリカード１００を取り出すことができる。同様に、使用者は、第２の収容空間２０に収納された第２のメモリカード２００を取り出そうとする場合、頂面２３の第２の押圧溝２３１を介して第２のメモリカード２００に力を加えることで、第２の収容空間２０から第２のメモリカード２００を取り出すことができる。
【００１７】
図３Ａ、図３Ｂ及び図３Ｃに示すように、１つの実施例において、本考案に係るメモリカード収納ケースにおける第１の収容空間１０の対向する２つの内側壁には、第１のガイドレール１４及び第２のガイドレール１５がそれぞれ形成されている。第１のガイドレール１４及び第２のガイドレール１５の延在方向は、第１のメモリカード１００が第１の収容空間１０に進入する移動方向に対して平行である。換言すれば、第１のガイドレール１４及び第２のガイドレール１５は、第１のメモリカード１００が第１の収容空間１０に進入することを補助することができ、第１のメモリカード１００は、第１のガイドレール１４及び第２のガイドレール１５に案内されることで、スムーズに第１の収容空間１０内に進入することができる。
【００１８】
第２の収容空間２０の対向する２つの内側壁には、第３のガイドレール２４及び第４のガイドレール２５がそれぞれ形成されている。第３のガイドレール２４及び第４のガイドレール２５の延在方向は、第２のメモリカード２００が第２の収容空間２０に進入する移動方向に対して平行である。換言すれば、第３のガイドレール２４及び第４のガイドレール２５は、第２のメモリカード２００が第２の収容空間２０に進入することを補助することができ、第２のメモリカード２００は第３のガイドレール２４及び第４のガイドレール２５に案内されることで、スムーズに第２の収容空間２０内に進入することができる。
【００１９】
第１の収容空間１０の下端には、複数の第１の凸条１７が設けられており、第１のメモリカード１００が第１の収容空間１０に進入すると、第１のメモリカード１００の先端が第１の凸条１７に当接することで、第１のメモリカード１００が第１の収容空間１０に安定して収納されることができる。同様に、第２の収容空間２０の下端には、複数の第２の凸条２７が設けられており、第２のメモリカード２００が第２の収容空間２０に進入すると、第２のメモリカード２００の先端が第２の凸条２７に当接することで、第２のメモリカード２００が第２の収容空間２０に安定して収納されることができる。
【００２０】
図１Ｂ及び図１Ｃに示すように、本考案に係るメモリカード収納ケースは、第１の収容空間１０に対応する裏面１６を含む。裏面１６には、第１の収容空間１０の局部が裏面１６に露出されるように第３の押圧溝１６１が設けられている。同様に、本考案に係るメモリカード収納ケースは、第２の収容空間２０に対応する裏面２６を更に含む。裏面２６には、第２の収容空間２０の局部が裏面２６に露出されるように第４の押圧溝２６１が設けられている。
【００２１】
使用者は、第１の収容空間１０に収納された第１のメモリカード１００を取り出そうとする場合、裏面１６の第３の押圧溝１６１を介して第１のメモリカード１００に力を加えることで、第１の収容空間１０から第１のメモリカード１００を取り出すことができる。同様に、使用者は、第２の収容空間２０に収納された第２のメモリカード２００を取り出そうとする場合、裏面２６の第４の押圧溝２６１を介して第２のメモリカード２００に力を加えることで、第２の収容空間２０から第２のメモリカード２００を取り出すことができる。
【００２２】
図１Ｂ、図１Ｃ、図２Ｂ及び図２Ｃに示すように、１つの実施例において、本考案に係るメモリカード収納ケースは、第１の弾性ストッパ１２には、第１の係止ブロック１２１が更に形成されている。第１の係止ブロック１２１において、第１のメモリカード１００が第１の収容空間１０に進入するのに対応する方向に、第１の斜面１２２が形成されている。第２の弾性ストッパ２２には、第２の係止ブロック２２１が更に形成されている。第２の係止ブロック２２１において、第２のメモリカード２００が第２の収容空間２０に進入するのに対応する方向に、第１の斜面２２２が形成されている。
【００２３】
図４Ａ及び図４Ｂに示すように、使用者が第１のメモリカード１００を第１の収容空間１０に収納しようとする場合、第１のメモリカード１００は、第１の開口１１から第１の収容空間１０に進入する。第１のメモリカード１００の先端が第１の弾性ストッパ１２に接触すると、第１の係止ブロック１２１上の第１の斜面１２２に沿って第１の弾性ストッパ１２を若干押し上げることができ、これにより、第１のメモリカード１００はスムーズに第１の収容空間１０に進入することができる。第１のメモリカード１００が第１の収容空間１０に完全に進入した後、第１の係止ブロック１２１が第１のメモリカード１００の移動を制限することができるため、第１のメモリカード１００は第１の収容空間１０内に安定して収納されることができる。
【００２４】
同様に、使用者が第２のメモリカード２００を第２の収容空間２０に収納しようとする場合、第２のメモリカード２００は、第２の開口２１から第２の収容空間２０に進入する。第２のメモリカード２００の先端が第２の弾性ストッパ２２に接触すると、第２の係止ブロック２２１上の第２の斜面２２２に沿って第２の弾性ストッパ２２を若干押し上げることができ、これにより、第２のメモリカード２００はスムーズに第２の収容空間２０に進入することができる。第２のメモリカード２００が第２の収容空間２０に完全に進入した後、第２の係止ブロック２２１が第２のメモリカード２００の移動を制限することができるため、第２のメモリカード２００は第２の収容空間２０内に安定して収納されることができる。
【００２５】
第１の収容空間１０の頂面１３には、第１の押圧溝１３１に隣接する第１の間隙１３５が更に設けられている。第２の収容空間２０の頂面２３には、第２の押圧溝２３１に隣接する第２の間隙２３５が更に設けられている。
【００２６】
力が加えられることで本考案に係るメモリカード収納ケースが湾曲して変形した場合、第１のメモリカード１００は、その一端が第１の係止ブロック１２１に制限されて第１の収容空間１０内に留まるため、脱落を回避することができ、その他端が第１の間隙１３５から突出するため、湾曲によって亀裂が生じることを回避することができる。これにより、本考案に係るメモリカード収納ケースは、第１のメモリカード１００を保護する目的を達成することができる。同様に、第２のメモリカード２００は、その一端が第２の係止ブロック２２１に制限されて第２の収容空間２０内に留まるため、脱落を回避することができ、その他端が第２の間隙２３５から突出するため、湾曲によって亀裂が生じることを回避することができる。これにより、第２のメモリカード２００を保護する目的を達成することができる。
【００２７】
１つの実施例において、本考案に係るメモリカード収納ケースには、ストラップ孔３０が更に設けられており、これにより使用者は自分の嗜好に合わせたストラップを装着することができる。本考案に係るメモリカード収納ケースの裏面には、複数のリブ４０が設けられており、これにより全体の剛性を強化して形状に変化が生じて曲がることを回避することができる。
【００２８】
以上は本考案の好ましい実施例に過ぎず、本考案の実用新案登録請求の範囲を制限するものではない。本考案に係る明細書及び図面の内容を運用してなされた等価の技術的変更は、いずれも本考案の範囲に含まれる。
【符号の説明】
【００２９】
１  第１の側
１０  第１の収容空間
１１  第１の開口
１２  第１の弾性ストッパ
１２１  第１の係止ブロック
１２２  第１の斜面
１３  頂面
１３１  第１の押圧溝
１３５  第１の間隙
１４  第１のガイドレール
１５  第２のガイドレール
１６  裏面
１６１  第３の押圧溝
１７  第１の凸条
２  第２の側
２０  第２の収容空間
２１  第２の開口
２２  第２の弾性ストッパ
２２１  第２の係止ブロック
２２２  第２の斜面
２３  頂面
２３１  第２の押圧溝
２３５  第２の間隙
２４  第３のガイドレール
２５  第４のガイドレール
２６  裏面
２６１  第４の押圧溝
２７  第２の凸条
３０  ストラップ孔
４０  リブ
１００  第１のメモリカード
２００  第２のメモリカード
【図１Ａ】
0003205337.tif 000003
【図１Ｂ】
0003205337.tif 000004
【図１Ｃ】
0003205337.tif 000005
【図２Ａ】
0003205337.tif 000006
【図２Ｂ】
0003205337.tif 000007
【図２Ｃ】
0003205337.tif 000008
【図３Ａ】
0003205337.tif 000009
【図３Ｂ】
0003205337.tif 000010
【図３Ｃ】
0003205337.tif 000011
【図４Ａ】
0003205337.tif 000012
【図４Ｂ】
0003205337.tif 000013
【図５Ａ】
0003205337.tif 000014
【図５Ｂ】
0003205337.tif 000015